(57)【要約】      （修正有）【課題】便利に付け替える眼鏡を提供する。【解決手段】便利に付け替える眼鏡を開示し、ブリッジを含み、ブリッジの左右の両側には上リム１２と下リム１３が対称的に設置され、上リム１２と下リム１３とによってレンズ１４を挟んで固定でき、下リム１３のうち対称中心から離れた一側にはテンプル１５が翻転できるように設置され、ブリッジの中にはアンロック装置１０１が設置され、テンプル１５と下リム１３との間にはロック装置１０２が設置され、上リム１２を翻転させて上側を開け、レンズ１４の置きと取りに便利を与える。【選択図】図１
2020173409.tif 000002
【特許請求の範囲】
【請求項１】
便利に付け替える眼鏡であって、ブリッジを含み、前記ブリッジの左右の両側には上リムと下リムが対称的に設置され、前記上リムと前記下リムとによってレンズを挟んで固定でき、前記下リムのうち対称中心から離れた一側にはテンプルが翻転できるように設置され、前記ブリッジの中にはアンロック装置が設置され、前記テンプルと前記下リムとの間にはロック装置が設置され、前記ブリッジの上端面には上に開口した翻転チャンバが左右に対称的に設置され、前記翻転チャンバの中には翻転棒が反転できるように設置され、前記上リムが前記翻転棒のうち対称中心から離れた一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間にきつく挟まれ、前記翻転棒が前記アンロック装置によってロックされ、前記上リムのうち中心から離れた一端を前記ロック装置によって前記下リムとロックでき、前記アンロック装置がアンロックして前記ロック装置をアンロック連動させ、前記上リムを翻転させて上側を開け、レンズの置きと取りに便利を与えることを特徴とする便利に付け替える眼鏡。
【請求項２】
前記アンロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面の偏心したところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち対象中心に近接した一端には前記ラック歯車と噛合したラックが固定的に設置され、前記弓形棒のもう一端が前記ロック装置と連結されている；前記アンロック装置がアンロックする同時に前記弓形棒によって同期的に前記ロック装置をアンロック連動させ、前記ノブを正方向又は反方向に回転させて左右の両側の前記レンズを解体又は装着することを特徴とする請求項１に記載の便利に付け替える眼鏡。
【請求項３】
前記ロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち対称中心から離れた一側の内壁の中には対称中心から離れた方向に開口した位置制限チャンバが設置され、前記位置制限チャンバの中には位置制限ブロックがスライドできるように設置され、前記位置制限ブロックのうち対称中心に近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち対称中心から離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記ロック装置がアンロックでき、同時に前記テンプルを固定して翻転させなく、前記仕切板が前記テンプルを後に翻転させないことを特徴とする請求項１に記載の便利に付け替える眼鏡。
【発明の詳細な説明】
【技術分野】
【０００１】
本発明は眼鏡の技術分野を取り上げて、具体的には便利に付け替える眼鏡である。
【背景技術】
【０００２】
眼鏡は近視の人にとって欠けられない存在であり、いろんな場合、例えば眼鏡屋又はレンズを付け替える場所では、普通のリムでは快速に付け替えることができなく、それに現有の便利に付け替えるリムは眼鏡屋にしか適用しなく、レンズも落ちやすく、そのため、便利に付け替える眼鏡が実に必要であり、本装置は二重ロックによってレンズの固定を保証し、同時に解体も簡単で快速であり、使用が極めて便利である。
【先行技術文献】
【特許文献】
【０００３】
【特許文献１】中国特許出願公開第１０５４０４０２１号明細書
【発明の概要】
【発明が解決しようとする課題】
【０００４】
本発明の目的は便利に付け替える眼鏡を提供し、現有の技術の上記欠点を克服できる。
【課題を解決するための手段】
【０００５】
本発明の便利に付け替える眼鏡は、ブリッジを含み、前記ブリッジの左右の両側には上リムと下リムが対称的に設置され、前記上リムと前記下リムとによってレンズを挟んで固定でき、前記下リムのうち対称中心から離れた一側にはテンプルが翻転できるように設置され、前記ブリッジの中にはアンロック装置が設置され、前記テンプルと前記下リムとの間にはロック装置が設置され、前記ブリッジの上端面には上に開口した翻転チャンバが左右に対称的に設置され、前記翻転チャンバの中には翻転棒が反転できるように設置され、前記上リムが前記翻転棒のうち対称中心から離れた一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間にきつく挟まれ、前記翻転棒が前記アンロック装置によってロックされ、前記上リムのうち中心から離れた一端を前記ロック装置によって前記下リムとロックでき、前記アンロック装置がアンロックして前記ロック装置をアンロック連動させ、前記上リムを翻転させて上側を開け、レンズの置きと取りに便利を与える。
【０００６】
更なる技術方案、前記アンロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面の偏心したところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち対象中心に近接した一端には前記ラック歯車と噛合したラックが固定的に設置され、前記弓形棒のもう一端が前記ロック装置と連結されている；前記アンロック装置がアンロックする同時に前記弓形棒によって同期的に前記ロック装置をアンロック連動させ、前記ノブを正方向又は反方向に回転させて左右の両側の前記レンズを解体又は装着する。
【０００７】
更なる技術方案、前記ロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち対称中心から離れた一側の内壁の中には対称中心から離れた方向に開口した位置制限チャンバが設置され、前記位置制限チャンバの中には位置制限ブロックがスライドできるように設置され、前記位置制限ブロックのうち対称中心に近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち対称中心から離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記ロック装置がアンロックでき、同時に前記テンプルを固定して翻転させなく、前記仕切板が前記テンプルを後に翻転させない。
【発明の効果】
【０００８】
本発明の有益な効果は下記の通りである：
【０００９】
本発明は構造が簡単で、操作が便利で、本装置によって早くレンズを付け替え、二重ロックによってレンズの取り付ける安定性を保証でき、同時にテンプルが交換する同時に傾いて倒れて操作を影響するのを防止できる。
【図面の簡単な説明】
【００１０】
【図１】図１は本発明の便利に付け替える眼鏡の内部全体構造模式図
【図２】図２は図１の「Ａ」の拡大模式図
【図３】図３は図１の「Ｂ−Ｂ」の方向の構造模式図
【図４】図４は図１の「Ｃ−Ｃ」の方向の構造模式図
【図５】図５は図１の「Ｄ」の拡大模式図
【発明を実施するための形態】
【００１１】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１２】
図１−５を参考して、本発明の便利に付け替える眼鏡は、ブリッジ１１を含み、前記ブリッジ１１の左右の両側には上リム１２と下リム１３が対称的に設置され、前記上リム１２と前記下リム１３とによってレンズ１４を挟んで固定でき、前記下リム１３のうち対称中心から離れた一側にはテンプル１５が翻転できるように設置され、前記ブリッジ１１の中にはアンロック装置１０１が設置され、前記テンプル１５と前記下リム１３との間にはロック装置１０２が設置され、前記ブリッジ１１の上端面には上に開口した翻転チャンバ１６が左右に対称的に設置され、前記翻転チャンバ１６の中には翻転棒１７が反転できるように設置され、前記上リム１２が前記翻転棒１７のうち対称中心から離れた一端に固定的に連結され、前記上リム１２の中には下に開口した上挟みチャンバ１８が設置され、左右両側の前記下リム１３が前記ブリッジ１１の左右両端に固定的に連結され、前記下リム１３の中には上に開口した下挟みチャンバ１９が設置され、前記レンズ１４の上下両端が其々に前記上挟みチャンバ１８と前記下挟みチャンバ１９との間にきつく挟まれ、前記翻転棒１７が前記アンロック装置１０１によってロックされ、前記上リム１２のうち中心から離れた一端を前記ロック装置１０２によって前記下リム１３とロックでき、前記アンロック装置１０１がアンロックして前記ロック装置１０２をアンロック連動させ、前記上リム１２を翻転させて上側を開け、レンズ１４の置きと取りに便利を与える。
【００１３】
有益なように、前記アンロック装置１０１は前記ブリッジ１１の中に設置されたアンロックチャンバ２０を含み、前記アンロックチャンバ２０の中には不規則歯車２１が回転できるように設置され、前記不規則歯車２１の後端には回転軸２２が固定的に設置され、前記回転軸２２の後端が外部に伸び出してノブ２３と固定的に連結され、前記不規則歯車２１の前端と前記アンロックチャンバ２０の前壁との間にはねじりばね５０が固定的に連結され、前記不規則歯車２１の左右両端には前記不規則歯車２１と噛合できる伝動直歯車２４が対称的に設置され、前記伝動直歯車２４の前端には昇降棒２５が設置され、前記昇降棒２５の中にはスライドチャンバ２６が前後に貫通するように設置され、前記伝動直歯車２４の前端面の偏心したところには前記スライドチャンバ２６とスライドできるように連結されたスライド棒２７が固定的に設置され、前記昇降棒２５の上端面には第一係止棒２８が固定的に設置され、前記翻転棒１７の中には下に開口した第一係止溝２９が設置され、前記第一係止棒２８の上端が前記第一係止溝２９の中に伸びており且つ前記第一係止溝２９の内壁とスライドできるように連結され、前記伝動直歯車２４のうち中心から離れた一端にはラック歯車３０が噛み合うように設置され、前記下リム１３の中には前記アンロックチャンバ２０に連通した弓形チャンバ３１が設置され、前記弓形チャンバ３１の中には弓形棒３２がスライドできるように設置され、前記弓形棒３２のうち対象中心に近接した一端には前記ラック歯車３０と噛合したラック３３が固定的に設置され、前記弓形棒３２のもう一端が前記ロック装置１０２と連結されている；前記アンロック装置１０１がアンロックする同時に前記弓形棒３２によって同期的に前記ロック装置１０２をアンロック連動させ、前記ノブ２３を正方向又は反方向に回転させて左右の両側の前記レンズ１４を解体又は装着する。
【００１４】
有益なように、前記ロック装置１０２には前記下リム１３のうち中心から離れた一端に設置され且つ上に開口したロックチャンバ３４が含まれ、前記上リム１２のうち中心から離れた一側の下端には前記ロックチャンバ３４の中に挿入できるロックブロック３５が固定的に設置され、前記ロックブロック３５と前記ロックチャンバ３４とがスライドできるように連結され、前記ロックブロック３５の中には中心から離れた方向に開口した第二係止溝３６が設置され、前記ロックチャンバ３４のうち対称中心から離れた一側の内壁の中には対称中心から離れた方向に開口した位置制限チャンバ３７が設置され、前記位置制限チャンバ３７の中には位置制限ブロック３８がスライドできるように設置され、前記位置制限ブロック３８のうち対称中心に近接した一端には前記第二係止溝３６の中に伸びた第二係止棒３９が固定的に設置され、前記位置制限チャンバ３７の下側には前記弓形チャンバ３１に連通した連結棒チャンバ４０が連通して設置され、前記位置制限ブロック３８の下端には連結棒４１がヒンジで連結され、前記連結棒４１の下端が前記弓形棒３２のうち対称中心から離れた一端に連結され、前記下リム１３のうち中心から離れた一端には回転ブロック４２が回転できるように設置され、前記回転ブロック４２の中には前記位置制限チャンバ３７と相対した凹み溝４３が設置され、前記テンプル１５が前記回転ブロック４２のうち中心から離れた一端に固定的に連結され、前記テンプル１５の後端には仕切板４４が固定的に設置されている；前記テンプル１５が垂直状態になってから初めて前記ロック装置１０２がアンロックでき、同時に前記テンプル１５を固定して翻転させなく、前記仕切板４４が前記テンプル１５を後に翻転させない。
【００１５】
初期状態の時、上リム１２と下リム１３とがレンズ１４をきつく挟み、テンプル１５が垂直状態である。
レンズを付け替える時、ノブ２３を回して回転軸２２によって不規則歯車２１を反時計回りに回転連動させ、この時不規則歯車２１と左側の伝動直歯車２４とが噛合して左側の伝動直歯車２４を回転連動させ、スライド棒２７によって昇降棒２５を下に移動連動させ、第一係止棒２８を連動させて第一係止溝２９から滑り出させ、翻転棒１７をアンロックさせ、この時伝動直歯車２４が歯車の噛合によって左側のラック歯車３０を回転連動させ、更に左側のラック３３と弓形棒３２の右端を下にスライド連動させ、この時左側の弓形棒３２の左端が上昇して連結棒４１によって左側の位置制限ブロック３８を左に凹み溝４３の中に移動連動させ、更に左側の第二係止棒３９を連動させて左に第二係止溝３６から出させ、回転ブロック４２が引っ掛けられて自動的に翻転できなく、この時上リム１２を開け、左側のレンズ１４を付け替え、テンプル１５が垂直状態の状態ではない時、位置制限ブロック３８が回転ブロック４２と当接してスライドできなく、それによりアンロックできなく、同じのようにノブ２３を反転させては右側のレンズ１４を付け替えられる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173409.tif 000003
【図２】
2020173409.tif 000004
【図３】
2020173409.tif 000005
【図４】
2020173409.tif 000006
【図５】
2020173409.tif 000007
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
便利に付け替える眼鏡であって、ブリッジを含み、前記ブリッジの左右の両側には上リムと下リムが対称的に設置され、前記上リムと前記下リムとによってレンズを挟んで固定でき、前記下リムのうち対称中心から離れた一側にはテンプルが翻転できるように設置され、前記ブリッジの中にはロック装置が設置され、前記テンプルと前記下リムとの間にはアンロック装置が設置され、前記ブリッジの上端面には上に開口した翻転チャンバが左右に対称的に設置され、前記翻転チャンバの中には翻転棒が反転できるように設置され、前記上リムが前記翻転棒の一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間に挟まれ、前記翻転棒が前記ロック装置によってロックされ、前記上リムのうち中心から離れた一端を前記アンロック装置によって前記下リムとロックでき、前記ロック装置がアンロックして前記アンロック装置をアンロック連動させ、前記上リムを翻転させて上側を開け、レンズの置きと取りに便利を与え、
前記ロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面の偏心したところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち対象中心に近接した一端には前記ラック歯車と噛合したラックが固定的に設置され、前記弓形棒のもう一端が前記アンロック装置と連結されている；前記ロック装置がアンロックする同時に前記弓形棒によって同期的に前記アンロック装置をアンロック連動させ、前記ノブを正方向又は反方向に回転させて左右の両側の前記レンズを解体又は装着し、
前記アンロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち対称中心から離れた一側の内壁の中には対称中心から離れた方向に開口した位置制限チャンバが設置され、前記位置制限チャンバの中には位置制限ブロックがスライドできるように設置され、前記位置制限ブロックのうち対称中心に近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち対称中心から離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記アンロック装置がアンロックでき、同時に前記テンプルを固定して翻転させなく、前記仕切板が前記テンプルを後に翻転させないことを特徴とする便利に付け替える眼鏡。
【手続補正２】
【補正対象書類名】明細書
【補正対象項目名】全文
【補正方法】変更
【補正の内容】
【発明の詳細な説明】
【技術分野】
【０００１】
本発明は眼鏡の技術分野を取り上げて、具体的には便利に付け替える眼鏡である。
【背景技術】
【０００２】
眼鏡は近視の人にとって欠けられない存在であり、いろんな場合、例えば眼鏡屋又はレンズを付け替える場所では、普通のリムでは快速に付け替えることができなく、それに現有の便利に付け替えるリムは眼鏡屋にしか適用しなく、レンズも落ちやすく、そのため、便利に付け替える眼鏡が実に必要であり、本装置は二重ロックによってレンズの固定を保証し、同時に解体も簡単で快速であり、使用が極めて便利である。
【先行技術文献】
【特許文献】
【０００３】
【特許文献１】中国特許出願公開第１０５４０４０２１号明細書
【発明の概要】
【発明が解決しようとする課題】
【０００４】
本発明の目的は便利に付け替える眼鏡を提供し、現有の技術の上記欠点を克服できる。
【課題を解決するための手段】
【０００５】
本発明の便利に付け替える眼鏡は、ブリッジを含み、前記ブリッジの左右の両側には上リムと下リムが対称的に設置され、前記上リムと前記下リムとによってレンズを挟んで固定でき、前記下リムのうち対称中心から離れた一側にはテンプルが翻転できるように設置され、前記ブリッジの中にはロック装置が設置され、前記テンプルと前記下リムとの間にはアンロック装置が設置され、前記ブリッジの上端面には上に開口した翻転チャンバが左右に対称的に設置され、前記翻転チャンバの中には翻転棒が反転できるように設置され、前記上リムが前記翻転棒の一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間に挟まれ、前記翻転棒が前記ロック装置によってロックされ、前記上リムのうち中心から離れた一端を前記アンロック装置によって前記下リムとロックでき、前記ロック装置がアンロックして前記アンロック装置をアンロック連動させ、前記上リムを翻転させて上側を開け、レンズの置きと取りに便利を与える。
【０００６】
更なる技術方案、前記ロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面の偏心したところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち対象中心に近接した一端には前記ラック歯車と噛合したラックが固定的に設置され、前記弓形棒のもう一端が前記アンロック装置と連結されている；前記ロック装置がアンロックする同時に前記弓形棒によって同期的に前記アンロック装置をアンロック連動させ、前記ノブを正方向又は反方向に回転させて左右の両側の前記レンズを解体又は装着する。
【０００７】
更なる技術方案、前記アンロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち対称中心から離れた一側の内壁の中には対称中心から離れた方向に開口した位置制限チャンバが設置され、前記位置制限チャンバの中には位置制限ブロックがスライドできるように設置され、前記位置制限ブロックのうち対称中心に近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち対称中心から離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記アンロック装置がアンロックでき、同時に前記テンプルを固定して翻転させなく、前記仕切板が前記テンプルを後に翻転させない。
【発明の効果】
【０００８】
本発明の有益な効果は下記の通りである：
【０００９】
本発明は構造が簡単で、操作が便利で、本装置によって早くレンズを付け替え、二重ロックによってレンズの取り付ける安定性を保証でき、同時にテンプルが交換する同時に傾いて倒れて操作を影響するのを防止できる。
【図面の簡単な説明】
【００１０】
【図１】図１は本発明の便利に付け替える眼鏡の内部全体構造模式図
【図２】図２は図１の「Ａ」の拡大模式図
【図３】図３は図１の「Ｂ−Ｂ」の方向の構造模式図
【図４】図４は図１の「Ｃ−Ｃ」の方向の構造模式図
【図５】図５は図１の「Ｄ」の拡大模式図
【発明を実施するための形態】
【００１１】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１２】
図１−５を参考して、本発明の便利に付け替える眼鏡は、ブリッジ１１を含み、前記ブリッジ１１の左右の両側には上リム１２と下リム１３が対称的に設置され、前記上リム１２と前記下リム１３とによってレンズ１４を挟んで固定でき、前記下リム１３のうち対称中心から離れた一側にはテンプル１５が翻転できるように設置され、前記ブリッジ１１の中にはロック装置１０１が設置され、前記テンプル１５と前記下リム１３との間にはアンロック装置１０２が設置され、前記ブリッジ１１の上端面には上に開口した翻転チャンバ１６が左右に対称的に設置され、前記翻転チャンバ１６の中には翻転棒１７が反転できるように設置され、前記上リム１２が前記翻転棒１７の一端に固定的に連結され、前記上リム１２の中には下に開口した上挟みチャンバ１８が設置され、左右両側の前記下リム１３が前記ブリッジ１１の左右両端に固定的に連結され、前記下リム１３の中には上に開口した下挟みチャンバ１９が設置され、前記レンズ１４の上下両端が其々に前記上挟みチャンバ１８と前記下挟みチャンバ１９との間に挟まれ、前記翻転棒１７が前記ロック装置１０１によってロックされ、前記上リム１２のうち中心から離れた一端を前記アンロック装置１０２によって前記下リム１３とロックでき、前記ロック装置１０１がアンロックして前記アンロック装置１０２をアンロック連動させ、前記上リム１２を翻転させて上側を開け、レンズ１４の置きと取りに便利を与える。
【００１３】
有益なように、前記ロック装置１０１は前記ブリッジ１１の中に設置されたアンロックチャンバ２０を含み、前記アンロックチャンバ２０の中には不規則歯車２１が回転できるように設置され、前記不規則歯車２１の後端には回転軸２２が固定的に設置され、前記回転軸２２の後端が外部に伸び出してノブ２３と固定的に連結され、前記不規則歯車２１の前端と前記アンロックチャンバ２０の前壁との間にはねじりばね５０が固定的に連結され、前記不規則歯車２１の左右両端には前記不規則歯車２１と噛合できる伝動直歯車２４が対称的に設置され、前記伝動直歯車２４の前端には昇降棒２５が設置され、前記昇降棒２５の中にはスライドチャンバ２６が前後に貫通するように設置され、前記伝動直歯車２４の前端面の偏心したところには前記スライドチャンバ２６とスライドできるように連結されたスライド棒２７が固定的に設置され、前記昇降棒２５の上端面には第一係止棒２８が固定的に設置され、前記翻転棒１７の中には下に開口した第一係止溝２９が設置され、前記第一係止棒２８の上端が前記第一係止溝２９の中に伸びており且つ前記第一係止溝２９の内壁とスライドできるように連結され、前記伝動直歯車２４のうち中心から離れた一端にはラック歯車３０が噛み合うように設置され、前記下リム１３の中には前記アンロックチャンバ２０に連通した弓形チャンバ３１が設置され、前記弓形チャンバ３１の中には弓形棒３２がスライドできるように設置され、前記弓形棒３２のうち対象中心に近接した一端には前記ラック歯車３０と噛合したラック３３が固定的に設置され、前記弓形棒３２のもう一端が前記アンロック装置１０２と連結されている；前記ロック装置１０１がアンロックする同時に前記弓形棒３２によって同期的に前記アンロック装置１０２をアンロック連動させ、前記ノブ２３を正方向又は反方向に回転させて左右の両側の前記レンズ１４を解体又は装着する。
【００１４】
有益なように、前記アンロック装置１０２には前記下リム１３のうち中心から離れた一端に設置され且つ上に開口したロックチャンバ３４が含まれ、前記上リム１２のうち中心から離れた一側の下端には前記ロックチャンバ３４の中に挿入できるロックブロック３５が固定的に設置され、前記ロックブロック３５と前記ロックチャンバ３４とがスライドできるように連結され、前記ロックブロック３５の中には中心から離れた方向に開口した第二係止溝３６が設置され、前記ロックチャンバ３４のうち対称中心から離れた一側の内壁の中には対称中心から離れた方向に開口した位置制限チャンバ３７が設置され、前記位置制限チャンバ３７の中には位置制限ブロック３８がスライドできるように設置され、前記位置制限ブロック３８のうち対称中心に近接した一端には前記第二係止溝３６の中に伸びた第二係止棒３９が固定的に設置され、前記位置制限チャンバ３７の下側には前記弓形チャンバ３１に連通した連結棒チャンバ４０が連通して設置され、前記位置制限ブロック３８の下端には連結棒４１がヒンジで連結され、前記連結棒４１の下端が前記弓形棒３２のうち対称中心から離れた一端に連結され、前記下リム１３のうち中心から離れた一端には回転ブロック４２が回転できるように設置され、前記回転ブロック４２の中には前記位置制限チャンバ３７と相対した凹み溝４３が設置され、前記テンプル１５が前記回転ブロック４２のうち中心から離れた一端に固定的に連結され、前記テンプル１５の後端には仕切板４４が固定的に設置されている；前記テンプル１５が垂直状態になってから初めて前記アンロック装置１０２がアンロックでき、同時に前記テンプル１５を固定して翻転させなく、前記仕切板４４が前記テンプル１５を後に翻転させない。
【００１５】
初期状態の時、上リム１２と下リム１３とがレンズ１４を挟み、テンプル１５が垂直状態である。
レンズを付け替える時、ノブ２３を回して回転軸２２によって不規則歯車２１を反時計回りに回転連動させ、この時不規則歯車２１と左側の伝動直歯車２４とが噛合して左側の伝動直歯車２４を回転連動させ、スライド棒２７によって昇降棒２５を下に移動連動させ、第一係止棒２８を連動させて第一係止溝２９から滑り出させ、翻転棒１７をアンロックさせ、この時伝動直歯車２４が歯車の噛合によって左側のラック歯車３０を回転連動させ、更に左側のラック３３と弓形棒３２の右端を下にスライド連動させ、この時左側の弓形棒３２の左端が上昇して連結棒４１によって左側の位置制限ブロック３８を左に凹み溝４３の中に移動連動させ、更に左側の第二係止棒３９を連動させて左に第二係止溝３６から出させ、回転ブロック４２が引っ掛けられて自動的に翻転できなく、この時上リム１２を開け、左側のレンズ１４を付け替え、テンプル１５が垂直状態の状態ではない時、位置制限ブロック３８が回転ブロック４２と当接してスライドできなく、それによりアンロックできなく、同じのようにノブ２３を反転させては右側のレンズ１４を付け替えられる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
便利に付け替える眼鏡であって、ブリッジを含み、前記ブリッジの左右の両側には上リムと下リムが対称的に設置され、前記上リムと前記下リムとによってレンズを挟んで固定でき、前記下リムのうち前記ブリッジから離れた一側にはテンプルが翻転できるように設置され、前記ブリッジの中にはロック装置が設置され、前記テンプルと前記下リムとの間にはアンロック装置が設置され、前記ブリッジの上端面には上に開口した翻転チャンバが左右に対称的に設置され、前記翻転チャンバの中には翻転棒が反転できるように設置され、前記上リムが前記翻転棒の一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間に挟まれ、前記翻転棒が前記ロック装置によってロックされ、前記上リムのうち中心から離れた一端を前記アンロック装置によって前記下リムとロックでき、前記ロック装置がアンロックして前記アンロック装置をアンロック連動させ、前記上リムを翻転させて上側を開け、レンズの置きと取りに便利を与え、
前記ロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面において回転中心から離れたところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち前記ブリッジに近接した一端には前記ラック歯車と噛合したラックが固定的に設置され、前記弓形棒のもう一端が前記アンロック装置と連結されている；前記ロック装置がアンロックする同時に前記弓形棒によって同期的に前記アンロック装置をアンロック連動させ、前記ノブを正方向又は反方向に回転させて左右の両側の前記レンズを解体又は装着し、
前記アンロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち前記ブリッジから離れた一側の内壁の中には前記ブリッジから離れた方向に開口した位置制限チャンバが設置され、前記位置制限チャンバの中には位置制限ブロックがスライドできるように設置され、前記位置制限ブロックのうち前記ブリッジに近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち前記ブリッジから離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記アンロック装置がアンロックでき、同時に前記テンプルを固定して翻転させなく、前記仕切板が前記テンプルを後に翻転させないことを特徴とする便利に付け替える眼鏡。
【手続補正２】
【補正対象書類名】明細書
【補正対象項目名】全文
【補正方法】変更
【補正の内容】
【発明の詳細な説明】
【技術分野】
【０００１】
本発明は眼鏡の技術分野を取り上げて、具体的には便利に付け替える眼鏡である。
【背景技術】
【０００２】
眼鏡は近視の人にとって欠けられない存在であり、いろんな場合、例えば眼鏡屋又はレンズを付け替える場所では、普通のリムでは快速に付け替えることができなく、それに現有の便利に付け替えるリムは眼鏡屋にしか適用しなく、レンズも落ちやすく、そのため、便利に付け替える眼鏡が実に必要であり、本装置は二重ロックによってレンズの固定を保証し、同時に解体も簡単で快速であり、使用が極めて便利である。
【先行技術文献】
【特許文献】
【０００３】
【特許文献１】中国特許出願公開第１０５４０４０２１号明細書
【発明の概要】
【発明が解決しようとする課題】
【０００４】
本発明の目的は便利に付け替える眼鏡を提供し、現有の技術の上記欠点を克服できる。
【課題を解決するための手段】
【０００５】
本発明の便利に付け替える眼鏡は、ブリッジを含み、前記ブリッジの左右の両側には上リムと下リムが対称的に設置され、前記上リムと前記下リムとによってレンズを挟んで固定でき、前記下リムのうち前記ブリッジから離れた一側にはテンプルが翻転できるように設置され、前記ブリッジの中にはロック装置が設置され、前記テンプルと前記下リムとの間にはアンロック装置が設置され、前記ブリッジの上端面には上に開口した翻転チャンバが左右に対称的に設置され、前記翻転チャンバの中には翻転棒が反転できるように設置され、前記上リムが前記翻転棒の一端に固定的に連結され、前記上リムの中には下に開口した上挟みチャンバが設置され、左右両側の前記下リムが前記ブリッジの左右両端に固定的に連結され、前記下リムの中には上に開口した下挟みチャンバが設置され、前記レンズの上下両端が其々に前記上挟みチャンバと前記下挟みチャンバとの間に挟まれ、前記翻転棒が前記ロック装置によってロックされ、前記上リムのうち中心から離れた一端を前記アンロック装置によって前記下リムとロックでき、前記ロック装置がアンロックして前記アンロック装置をアンロック連動させ、前記上リムを翻転させて上側を開け、レンズの置きと取りに便利を与える。
【０００６】
更なる技術方案、前記ロック装置は前記ブリッジの中に設置されたアンロックチャンバを含み、前記アンロックチャンバの中には不規則歯車が回転できるように設置され、前記不規則歯車の後端には回転軸が固定的に設置され、前記回転軸の後端が外部に伸び出してノブと固定的に連結され、前記不規則歯車の前端と前記アンロックチャンバの前壁との間にはねじりばねが固定的に連結され、前記不規則歯車の左右両端には前記不規則歯車と噛合できる伝動直歯車が対称的に設置され、前記伝動直歯車の前端には昇降棒が設置され、前記昇降棒の中にはスライドチャンバが前後に貫通するように設置され、前記伝動直歯車の前端面において回転中心から離れたところには前記スライドチャンバとスライドできるように連結されたスライド棒が固定的に設置され、前記昇降棒の上端面には第一係止棒が固定的に設置され、前記翻転棒の中には下に開口した第一係止溝が設置され、前記第一係止棒の上端が前記第一係止溝の中に伸びており且つ前記第一係止溝の内壁とスライドできるように連結され、前記伝動直歯車のうち中心から離れた一端にはラック歯車が噛み合うように設置され、前記下リムの中には前記アンロックチャンバに連通した弓形チャンバが設置され、前記弓形チャンバの中には弓形棒がスライドできるように設置され、前記弓形棒のうち前記ブリッジに近接した一端には前記ラック歯車と噛合したラックが固定的に設置され、前記弓形棒のもう一端が前記アンロック装置と連結されている；前記ロック装置がアンロックする同時に前記弓形棒によって同期的に前記アンロック装置をアンロック連動させ、前記ノブを正方向又は反方向に回転させて左右の両側の前記レンズを解体又は装着する。
【０００７】
更なる技術方案、前記アンロック装置には前記下リムのうち中心から離れた一端に設置され且つ上に開口したロックチャンバが含まれ、前記上リムのうち中心から離れた一側の下端には前記ロックチャンバの中に挿入できるロックブロックが固定的に設置され、前記ロックブロックと前記ロックチャンバとがスライドできるように連結され、前記ロックブロックの中には中心から離れた方向に開口した第二係止溝が設置され、前記ロックチャンバのうち前記ブリッジから離れた一側の内壁の中には前記ブリッジから離れた方向に開口した位置制限チャンバが設置され、前記位置制限チャンバの中には位置制限ブロックがスライドできるように設置され、前記位置制限ブロックのうち前記ブリッジに近接した一端には前記第二係止溝の中に伸びた第二係止棒が固定的に設置され、前記位置制限チャンバの下側には前記弓形チャンバに連通した連結棒チャンバが連通して設置され、前記位置制限ブロックの下端には連結棒がヒンジで連結され、前記連結棒の下端が前記弓形棒のうち前記ブリッジから離れた一端に連結され、前記下リムのうち中心から離れた一端には回転ブロックが回転できるように設置され、前記回転ブロックの中には前記位置制限チャンバと相対した凹み溝が設置され、前記テンプルが前記回転ブロックのうち中心から離れた一端に固定的に連結され、前記テンプルの後端には仕切板が固定的に設置されている；前記テンプルが垂直状態になってから初めて前記アンロック装置がアンロックでき、同時に前記テンプルを固定して翻転させなく、前記仕切板が前記テンプルを後に翻転させない。
【発明の効果】
【０００８】
本発明の有益な効果は下記の通りである：
【０００９】
本発明は構造が簡単で、操作が便利で、本装置によって早くレンズを付け替え、二重ロックによってレンズの取り付ける安定性を保証でき、同時にテンプルが交換する同時に傾いて倒れて操作を影響するのを防止できる。
【図面の簡単な説明】
【００１０】
【図１】図１は本発明の便利に付け替える眼鏡の内部全体構造模式図
【図２】図２は図１の「Ａ」の拡大模式図
【図３】図３は図１の「Ｂ−Ｂ」の方向の構造模式図
【図４】図４は図１の「Ｃ−Ｃ」の方向の構造模式図
【図５】図５は図１の「Ｄ」の拡大模式図
【発明を実施するための形態】
【００１１】
以下は図１−５について本発明にを詳しく説明し、その中、便利に叙述するように、後文に出る方位を下記の通りに規定する：後文に出る上下左右前後方向は図１本体の投影関係の上下左右前後方向と一致する。
【００１２】
図１−５を参考して、本発明の便利に付け替える眼鏡は、ブリッジ１１を含み、前記ブリッジ１１の左右の両側には上リム１２と下リム１３が対称的に設置され、前記上リム１２と前記下リム１３とによってレンズ１４を挟んで固定でき、前記下リム１３のうち前記ブリッジから離れた一側にはテンプル１５が翻転できるように設置され、前記ブリッジ１１の中にはロック装置１０１が設置され、前記テンプル１５と前記下リム１３との間にはアンロック装置１０２が設置され、前記ブリッジ１１の上端面には上に開口した翻転チャンバ１６が左右に対称的に設置され、前記翻転チャンバ１６の中には翻転棒１７が反転できるように設置され、前記上リム１２が前記翻転棒１７の一端に固定的に連結され、前記上リム１２の中には下に開口した上挟みチャンバ１８が設置され、左右両側の前記下リム１３が前記ブリッジ１１の左右両端に固定的に連結され、前記下リム１３の中には上に開口した下挟みチャンバ１９が設置され、前記レンズ１４の上下両端が其々に前記上挟みチャンバ１８と前記下挟みチャンバ１９との間に挟まれ、前記翻転棒１７が前記ロック装置１０１によってロックされ、前記上リム１２のうち中心から離れた一端を前記アンロック装置１０２によって前記下リム１３とロックでき、前記ロック装置１０１がアンロックして前記アンロック装置１０２をアンロック連動させ、前記上リム１２を翻転させて上側を開け、レンズ１４の置きと取りに便利を与える。
【００１３】
有益なように、前記ロック装置１０１は前記ブリッジ１１の中に設置されたアンロックチャンバ２０を含み、前記アンロックチャンバ２０の中には不規則歯車２１が回転できるように設置され、前記不規則歯車２１の後端には回転軸２２が固定的に設置され、前記回転軸２２の後端が外部に伸び出してノブ２３と固定的に連結され、前記不規則歯車２１の前端と前記アンロックチャンバ２０の前壁との間にはねじりばね５０が固定的に連結され、前記不規則歯車２１の左右両端には前記不規則歯車２１と噛合できる伝動直歯車２４が対称的に設置され、前記伝動直歯車２４の前端には昇降棒２５が設置され、前記昇降棒２５の中にはスライドチャンバ２６が前後に貫通するように設置され、前記伝動直歯車２４の前端面において回転中心から離れたところには前記スライドチャンバ２６とスライドできるように連結されたスライド棒２７が固定的に設置され、前記昇降棒２５の上端面には第一係止棒２８が固定的に設置され、前記翻転棒１７の中には下に開口した第一係止溝２９が設置され、前記第一係止棒２８の上端が前記第一係止溝２９の中に伸びており且つ前記第一係止溝２９の内壁とスライドできるように連結され、前記伝動直歯車２４のうち中心から離れた一端にはラック歯車３０が噛み合うように設置され、前記下リム１３の中には前記アンロックチャンバ２０に連通した弓形チャンバ３１が設置され、前記弓形チャンバ３１の中には弓形棒３２がスライドできるように設置され、前記弓形棒３２のうち前記ブリッジに近接した一端には前記ラック歯車３０と噛合したラック３３が固定的に設置され、前記弓形棒３２のもう一端が前記アンロック装置１０２と連結されている；前記ロック装置１０１がアンロックする同時に前記弓形棒３２によって同期的に前記アンロック装置１０２をアンロック連動させ、前記ノブ２３を正方向又は反方向に回転させて左右の両側の前記レンズ１４を解体又は装着する。
【００１４】
有益なように、前記アンロック装置１０２には前記下リム１３のうち中心から離れた一端に設置され且つ上に開口したロックチャンバ３４が含まれ、前記上リム１２のうち中心から離れた一側の下端には前記ロックチャンバ３４の中に挿入できるロックブロック３５が固定的に設置され、前記ロックブロック３５と前記ロックチャンバ３４とがスライドできるように連結され、前記ロックブロック３５の中には中心から離れた方向に開口した第二係止溝３６が設置され、前記ロックチャンバ３４のうち前記ブリッジから離れた一側の内壁の中には前記ブリッジから離れた方向に開口した位置制限チャンバ３７が設置され、前記位置制限チャンバ３７の中には位置制限ブロック３８がスライドできるように設置され、前記位置制限ブロック３８のうち前記ブリッジに近接した一端には前記第二係止溝３６の中に伸びた第二係止棒３９が固定的に設置され、前記位置制限チャンバ３７の下側には前記弓形チャンバ３１に連通した連結棒チャンバ４０が連通して設置され、前記位置制限ブロック３８の下端には連結棒４１がヒンジで連結され、前記連結棒４１の下端が前記弓形棒３２のうち前記ブリッジから離れた一端に連結され、前記下リム１３のうち中心から離れた一端には回転ブロック４２が回転できるように設置され、前記回転ブロック４２の中には前記位置制限チャンバ３７と相対した凹み溝４３が設置され、前記テンプル１５が前記回転ブロック４２のうち中心から離れた一端に固定的に連結され、前記テンプル１５の後端には仕切板４４が固定的に設置されている；前記テンプル１５が垂直状態になってから初めて前記アンロック装置１０２がアンロックでき、同時に前記テンプル１５を固定して翻転させなく、前記仕切板４４が前記テンプル１５を後に翻転させない。
【００１５】
初期状態の時、上リム１２と下リム１３とがレンズ１４を挟み、テンプル１５が垂直状態である。
レンズを付け替える時、ノブ２３を回して回転軸２２によって不規則歯車２１を反時計回りに回転連動させ、この時不規則歯車２１と左側の伝動直歯車２４とが噛合して左側の伝動直歯車２４を回転連動させ、スライド棒２７によって昇降棒２５を下に移動連動させ、第一係止棒２８を連動させて第一係止溝２９から滑り出させ、翻転棒１７をアンロックさせ、この時伝動直歯車２４が歯車の噛合によって左側のラック歯車３０を回転連動させ、更に左側のラック３３と弓形棒３２の右端を下にスライド連動させ、この時左側の弓形棒３２の左端が上昇して連結棒４１によって左側の位置制限ブロック３８を左に凹み溝４３の中に移動連動させ、更に左側の第二係止棒３９を連動させて左に第二係止溝３６から出させ、回転ブロック４２が引っ掛けられて自動的に翻転できなく、この時上リム１２を開け、左側のレンズ１４を付け替え、テンプル１５が垂直状態の状態ではない時、位置制限ブロック３８が回転ブロック４２と当接してスライドできなく、それによりアンロックできなく、同じのようにノブ２３を反転させては右側のレンズ１４を付け替えられる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。